(57)【特許請求の範囲】
【請求項１】
上方が開口した集水器本体の両側壁に、上方に開口し、接続される軒樋の外形に符合した軒樋挿入孔が設けられ、集水器本体の底壁に排水口が設けられている樋集水器において、前記集水器本体の後壁の内面に軒樋への装着を防止する防止片が上下方向に沿って突設され、この防止片の上端が、前記軒樋挿入孔の耳部嵌合部の下面よりも、上方に位置していると共に、前記後壁の外面に段差部が設けられており、前記集水器本体同士を上下方向に順次積み重ねる際に、上側に位置する集水器本体の後壁の段差部の外面が、下側に位置する集水器本体の後壁の内面に突設されている防止片の上端に当接して係止されるようになされていることを特徴とする樋集水器。
【発明の詳細な説明】
【０００１】
【発明の属する技術分野】
本発明は樋集水器に関する。
【０００２】
【従来の技術】
従来の樋集水器は、上方が開口した集水器本体の両側壁に、上方に開口し、接続される半丸形状の軒樋の外形に符合した半円状の軒樋挿入孔が設けられ、集水器本体の底壁に排水口が設けられているものである。この場合、両側の軒樋挿入孔の上方が開口しているので、たとえば実開昭６０−８３１２９号公報に記載されているように、施工作業者が、軒樋を縁切りすることなく取付施工を行うことがある。つまり、軒樋を切断せずに、そのまま軒樋の下方から、両側壁の軒樋挿入孔を利用して、集水器本体を押し上げて軒樋の外側に装着することにより、樋集水器の取付施工が行われるのである。なお、装着される軒樋の底壁の所定位置には、あらかじめ排水孔が設けられている。
【０００３】
このような施工が行われた軒樋の接続構造においては、樋集水器の部分において、軒樋の熱伸縮を吸収することはできないので、この熱伸縮の影響がコーナー部の曲がり継手の割れや破損、あるいは接着接続部の剥離などの発生に繋がるという恐れがあった。このような問題を解消するために、たとえば、実公昭６２−４１１３号公報において、排水口の上方において、集水器本体の前壁と後壁との間に仕切状の止水板を設けた樋集水器が記載されている。
【０００４】
【発明が解決しようとする課題】
この樋集水器においては、仕切状の止水板が存在することにより、上記の施工作業者が軒樋を切断せずに、そのまま軒樋の下方から軒樋の外側に樋集水器を装着するという誤った取付施工を防止することはできる。しかしながら、この止水板が存在することにより、逆に、製品のスタック性が悪くなり、このため、余分な梱包スペースが増大して、輸送効率が低下するという問題があった。
【０００５】
本発明の目的は、上述の誤った取付施工を防止できるとともに、接続される軒樋の熱伸縮を阻害せず、しかも、製品のスタック性があり、輸送効率のすぐれた樋集水器を提供することである。
【０００６】
【課題を解決するための手段】
請求項１記載の本発明の樋集水器は、上方が開口した集水器本体の両側壁に、上方に開口し、接続される軒樋の外形に符合した軒樋挿入孔が設けられ、集水器本体の底壁に排水口が設けられている樋集水器において、前記集水器本体の後壁の内面に軒樋への装着を防止する防止片が上下方向に沿って突設され、この防止片の上端は、前記軒樋挿入孔の耳部嵌合部の下面よりも、上方に位置していると共に、前記後壁の外面に段差部が設けられており、前記集水器本体同士を上下方向に順次積み重ねる際に、上側に位置する集水器本体の後壁の段差部の外面が、下側に位置する集水器本体の後壁の内面に突設されている防止片の上端に当接して係止されるようになされているものである。
【０００７】
（作用）
請求項１記載の樋集水器においては、集水器本体の後壁の内面に防止片が上下方向に沿って突設され、この防止片の上端が、軒樋挿入孔の耳部嵌合部の下面よりも上方に位置しているので、施工作業者が、軒樋を縁切りせずに、そのまま軒樋を上方から集水器本体内に押し込んで装着しようとしても、軒樋の耳部外面が防止片に当たって、装着作業が阻止される。
また、樋集水器同士を上下方向に積み重ねてスタックする際に、上側に位置する集水器本体の後壁の段差部の外面が、下側に位置する集水器本体の後壁の内面に突設されている防止片の上端に当接して係止されるようになされているので、スタック性が生じる。
この結果、本発明の樋集水器によれば、誤った取付施工を防止できるとともに、接続される軒樋の熱伸縮を阻害せず、しかも、製品のスタック性があり、輸送効率のすぐれた樋集水器を提供することができる。
【０００８】
【発明の実施の形態】
以下、本発明の実施の形態を図面に基づいて説明する。
図１は本発明の樋集水器Ａの第１実施例を示す一部切欠き斜視図、図２は図１の樋集水器の積み重ね状態を示す縦断面図、図３は図１の樋集水器と接続される軒樋を示す断面図である。
【０００９】
図１に示すように、１は上方が開口した箱状の集水器本体であり、その両側壁２、２には軒樋挿入孔３、３が設けられている。前壁４の上端のほうが後壁５の上端よりも少し高くされている。前壁４はやや外方に傾倒して斜め上方に立設され、その外面には化粧部４１が一体に形成されている。後壁５はほぼ垂直に立設され、軒樋挿入孔３の底面よりも少し上方の位置にて、段差部５１を介して外方に突設されている。なお、段差部５１よりも上方の後壁５の内外面はわずかに傾斜面とされている。
【００１０】
軒樋挿入孔３、３は上方に開口しており、その形状は図３に示す軒樋７の外形に符合した略Ｕ字状とされ、前後上端部に、それぞれ内方に開口した断面コ字状の前耳部嵌合部３１と後耳部嵌合部３２が設けられている。両耳部嵌合部３１、３２の上部先端には、それぞれ前耳係止片３１ａと後耳係止片３２ａが設けられている。前耳係止片３１ａには針金を挿通するための小孔３１１ａが設けられている。集水器本体１の底壁には排水口６が設けられている。
【００１１】
本発明においては、集水器本体１の後壁５の幅方向の略中央内面に防止片５２が突設されている。この防止片５２は短冊板状のものであり、段差部５１の内面から上方に延びており、その上端は、軒樋挿入孔３の後耳部嵌合部３２の下面３２１よりも、上方に位置している。この場合、防止片５２の上端５２ａは、後耳部嵌合部３２の上面３２２とほぼ同一の高さに位置している。防止片５２は軒樋７が縁切りされることなくそのまま装着されるのを防止するとともに、スタック性を付与する機能を有している。
【００１２】
すなわち、図２に示すように、樋集水器Ａ内に、別の樋集水器Ａを積み重ねると、下側の集水器本体１の防止片５２の上端（上面）５２ａに、上側の集水器本体１の段差部５１の外面（下面５１ａ）が当接して係止することにより、順次積み重ねていくことができる。
【００１３】
上記実施例においては、防止片５２を後壁５の幅方向のほぼ中央に１個設けたが、たとえば図４に示すように、後壁５の幅方向に所定間隔をおいて２個の防止片５２、５２を突設してもよい。そして、この防止片５２間の間隔を、たとえば排水口６の内径と同程度とすることにより、軒樋挿入孔３に装着した両軒樋７が伸びても、両軒樋７の後耳部７２の端面が防止片５２に当接して止まる。このため、排水口６の上方が両軒樋７の端部で覆われず、雨水の排水能力は低下しない。
【００１４】
また、上記実施例では、前壁４の外面に化粧部４１を一体に形成したが、この化粧部は必要に応じて設ければよく、なくてもよい。
【００１５】
【発明の効果】
請求項１記載の樋集水器においては、集水器本体の後壁部の内面に防止片が上下方向に沿って突設され、この防止片の上端が、軒樋挿入孔の耳部嵌合部の下面よりも、上方に位置しているので、施工作業者が、軒樋を切断せずにそのまま軒樋の下方から押し込んで、樋集水器を軒樋に装着しようとしても、軒樋の外面が防止片に当接し、装着作業が阻止される。したがって、軒樋の熱伸縮を阻害せずに軒樋と接続できる。
【００１６】
また、防止片がスペーサーとしての機能を有しており、段差部との係止により樋集水器を積み重ねてスタックでき、梱包スペースが小となり、製品の輸送効率が向上する。
【図面の簡単な説明】
【図１】本発明における樋集水器の第１実施例を示す斜視図である。
【図２】図１の樋集水器の積み重ね状態を示す説明図である。
【図３】図１の樋集水器と接続される軒樋を示す断面図である。
【図４】本発明における樋集水器の第２実施例の要部を示す斜視図である。
【符号の説明】
Ａ              樋集水器
１              集水器本体
２              側壁
３              軒樋挿入孔
３１            前耳部嵌合部
３２            後耳部嵌合部
３２１          下面
３２２          上面
４              前壁
５              後壁
５１            段差部
５２            防止片
６              排水口
７              軒樋
【図１】
0003766150.tif 000002
【図２】
0003766150.tif 000003
【図３】
0003766150.tif 000004
【図４】
0003766150.tif 000005